【手続補正書】
【提出日】平成19年7月20日(2007.7.20)
【手続補正１】
【補正対象書類名】明細書
【補正対象項目名】特許請求の範囲
【補正方法】変更
【補正の内容】
【特許請求の範囲】
【請求項１】  光記録媒体に対して情報信号を記録／再生するための記録／再生光を出射する第１の光源と、
上記第１の光源からの記録／再生光を上記光記録媒体に照射すべく集光する第１の光学手段と、
上記第１の光学手段の開口数よりも大きな開口数を実現するために上記第１の光学手段と上記光記録媒体との間に介在させる第２の光学手段と、
上記光記録媒体に対して上記記録／再生光とは異なる光を出射する第２の光源と、
上記第２の光学手段の端面と上記光記録媒体間のニアフィールド領域における距離を一定に保持する制御手段と、
上記第２の光学手段が上記記録／再生光を集光する上記光記録媒体上の位置より先行した位置に集光された上記第２の光源からの光の、上記光記録媒体の戻り光を基に、上記第２の光学手段及び上記光記録媒体を保護する保護手段と
を備えることを特徴とする光記録及び／又は再生装置。
【請求項２】  上記保護手段が出力する保護制御信号と、上記制御手段が出力するフォーカス制御信号とを切り替え又は併用することを特徴とする請求項１記載の光記録及び／又は再生装置。
【請求項３】  上記記録／再生光の上記第２の光学手段からの戻り光量に基づいて、上記保護手段が出力する保護制御信号を、上記制御手段が出力するフォーカス制御信号と合成して出力するか又は単独で出力する制御電圧出力手段を備えることを特徴とする請求項２記載の光記録及び／又は再生装置。
【請求項４】  上記保護手段は、上記光記録媒体上に集光した上記先行光の戻り光量を、第１の所定の閾値と比較して上記光記録媒体上の外乱の有無を判定する第１の判定手段と、上記先行光のフォーカス制御帯域における戻り光量を少なくとも第２の所定の閾値と比較して上記外乱の種類を判定する第２の判定手段とを備え、両方の判定結果に基づいた判定データに応じて上記第２の光学手段及び上記光記録媒体を外乱から保護することを特徴とする請求項１記載の光記録及び／又は再生装置。
【請求項５】  上記第２の判定手段は、上記先行光のフォーカス制御帯域における戻り光量を第２の所定の閾値の他、この第２の所定の閾値よりも小さく設定された第３の所定の閾値と比較して上記外乱の種類を判定することを特徴とする請求項４記載の光記録及び／又は再生装置。
【請求項６】  上記制御電圧出力手段は、上記記録／再生光の上記第２の光学手段からの戻り光量を第４の所定の閾値と比較した結果に基づいて上記保護制御信号を上記フォーカス制御信号と合成するか又は単独で出力するかを決定することを特徴とする請求項３記載の光記録及び／又は再生装置。
【請求項７】  上記制御手段が動作中に、上記記録／再生光の上記第２の光学手段からの戻り光量が上記第４の所定の閾値よりも大きくなったとき、上記制御電圧出力手段は上記制御手段の上記フォーカス制御信号をホールドし、上記保護手段の上記保護制御信号のみを出力することを特徴とする請求項６記載の光記録及び／又は再生装置。
【請求項８】  上記第１の光学手段と上記第２の光学手段を一体化し、この一体化光学手段の上記光記録媒体上のフォーカス方向の位置を、上記制御手段が出力する上記フォーカス制御信号と、上記保護手段が出力する保護制御信号とを切り替え又は併用して制御することを特徴とする請求項１記載の光記録及び／又は再生装置。
【請求項９】  上記記録／再生光の上記第２の光学手段からの戻り光量に基づいて、上記保護手段が出力する保護制御信号を、上記制御手段が出力するフォーカス制御信号と合成して出力するか又は単独で出力する制御電圧出力手段を備えることを特徴とする請求項８記載の光記録及び／又は再生装置。
【請求項１０】  上記制御電圧出力手段の出力に基づいて上記一体化光学手段は、上記光記録媒体上の外乱発生部を飛び越すことを特徴とする請求項９記載の光記録及び／又は再生装置。
【請求項１１】  上記第２の光源からの上記先行光は、上記光記録媒体に情報信号を記録しない波長の光とし、上記一体化光学手段が上記光記録媒体上の外乱発生部を飛び越しているときにも上記光記録媒体上で集光していることを特徴とする請求項１０記載の光記録及び／又は再生装置。
【請求項１２】  上記保護手段の上記第１の判定手段及び上記第２の判定手段が上記先行光の上記戻り光量を上記第１の所定の閾値及び上記第２の所定の閾値と比較するのは、上記第２の光学手段が上記記録／再生光を照射している上記光記録媒体上の箇所に対して前方の未記録部分とし、かつ少なくとも上記第２の光学手段が上記記録／再生光を集光している箇所を中心とした上記第２の光学手段の幅を持つ長さの区間とすることを特徴とする請求項４記載の光記録及び／又は再生装置。
【請求項１３】  上記情報信号を上記光記録媒体に対して記録／再生する位置と、上記保護手段が上記第１の判定手段及び上記第２の判定手段を用いて上記外乱の有無及び種類を判定する位置は分離されていることを特徴とする請求項４記載の光記録及び／又は再生装置。
【請求項１４】  上記光記録媒体に対して情報信号を記録／再生する前に、上記保護手段は先行して上記光記録媒体上の外乱の有無及び種類を判定することを特徴とする請求項１記載の光記録及び／又は再生装置。
【請求項１５】  上記光記録媒体に対して情報信号を記録／再生する前に、上記保護手段により先行して判定された上記外乱の情報を、予め記憶素子に保持し、上記光記録媒体に対して情報信号を記録／再生する時点で、上記記憶素子から上記外乱情報を読み出し、この読み出した外乱情報に基づいて上記保護手段が上記第２の光学手段の端面と上記光記録媒体を保護することを特徴とする請求項１４記載の光記録及び／又は再生装置。
【請求項１６】  上記光記録媒体に対して情報信号を記録／再生する初期状態において、上記第２の光学手段の中心が記録／再生開始半径に達するまでの間は、上記第２の光学手段の端面と上記光記録媒体の距離をニアフィールド領域にて一定に保持しないことを特徴とする請求項１記載の光記録及び／又は再生装置。
【請求項１７】  上記光記録媒体に対して情報信号を記録／再生する初期状態において、上記記憶素子に上記外乱情報がたまるまでは上記制御手段によるフォーカス制御を行わないことを特徴とする請求項１５記載の光記録及び／又は再生装置。
【請求項１８】  上記光記録媒体に対して情報信号を記録／再生する前に、上記保護手段が先行して上記光記録媒体上の外乱の情報を検出するのは、上記光記録媒体に情報信号を記録開始する初期状態において、上記第２の光学手段の中心が記録／再生開始半径に達するまでの間及びそれ以降、記録を停止するまでであることを特徴とする請求項１記載の光記録及び／又は再生装置。
【請求項１９】  光記録媒体に対して情報信号を記録／再生するための第１の光源からの記録／再生光を上記光記録媒体に照射すべく集光する第１の光学手段の開口数よりも大きな開口数を実現するために上記第１の光学手段と上記光記録媒体との間に介在させる第２の光学手段の端面と、上記光記録媒体間のニアフィールド領域内における距離を一定に保持する制御工程と、
上記光記録／再生光とは異なる光を出射する第２の光源からの光が上記光記録媒体上の外乱発生物に照射することにより得られた外乱情報から上記第２の光学手段及び上記光記録媒体を保護する保護工程と
を備えることを特徴とする光記録及び／又は再生方法。
【請求項２０】  上記第２の光源からの光は、上記第２の光学手段が上記記録／再生光を集光する位置より先行した位置に集光されることを特徴とする請求項１９記載の光記録及び／又は再生方法。
【請求項２１】  上記保護工程が出力する保護制御信号と、上記制御工程が出力するフォーカス制御信号とを切り替え又は併用することを特徴とする請求項１９記載の光記録及び／又は再生方法。
【請求項２２】  上記記録／再生光の上記第２の光学手段からの戻り光量に基づいて、上記保護工程が出力する保護制御信号を、上記制御工程が出力するフォーカス制御信号と合成して出力するか又は単独で出力する制御電圧出力工程を備えることを特徴とする請求項２１記載の光記録及び／又は再生方法。
【請求項２３】  上記保護工程は、上記光記録媒体上に集光した上記先行光の上記光記録媒体からの戻り光量を、第１の所定の閾値と比較して上記光記録媒体上の外乱の有無を判定する第１の判定工程と、上記先行光のフォーカス制御帯域における戻り光量を少なくとも第２の所定の閾値と比較して上記外乱の種類を判定する第２の判定工程とを備え、両方の判定結果に基づいた判定データに応じて上記第２の光学手段及び上記光記録媒体を外乱から保護することを特徴とする請求項１９記載の光記録及び／又は再生方法。
【請求項２４】  上記第２の判定工程は、上記先行光のフォーカス制御帯域における戻り光量を第２の所定の閾値の他、この第２の所定の閾値よりも小さく設定された第３の所定の閾値と比較して上記外乱の種類を判定することを特徴とする請求項２３記載の光記録及び／又は再生方法。
【請求項２５】  上記制御電圧出力工程は、上記記録／再生光の上記第２の光学手段からの戻り光量を第４の所定の閾値と比較した結果に基づいて上記保護制御信号を上記フォーカス制御信号と合成するか又は単独で出力するかを決定することを特徴とする請求項２２記載の光記録及び／又は再生方法。
【請求項２６】  上記制御工程が動作中に、上記記録／再生光の上記第２の光学手段からの戻り光量が上記第４の所定の閾値よりも大きくなったとき、上記制御電圧出力工程は上記制御工程の上記フォーカス制御信号をホールドし、上記保護工程の上記保護制御信号のみを出力することを特徴とする請求項２５記載の光記録及び／又は再生方法。
【請求項２７】  上記第１の光学手段と上記第２の光学手段を一体化し、この一体化光学手段の上記光記録媒体上のフォーカス方向の位置を、上記制御工程が出力する上記フォーカス制御信号と、上記保護工程が出力する保護制御信号とを切り替え又は併用して制御することを特徴とする請求項１９記載の光記録及び／又は再生方法。
【請求項２８】  上記記録／再生光の上記第２の光学手段からの戻り光量に基づいて、上記保護工程が出力する保護制御信号を、上記制御工程が出力するフォーカス制御信号と合成して出力するか又は単独で出力する制御電圧出力工程を備えることを特徴とする請求項２７記載の光記録及び／又は再生方法。
【請求項２９】  上記制御電圧出力工程の出力に基づいて上記一体化光学手段は、上記光記録媒体上の外乱発生部を飛び越すことを特徴とする請求項２８記載の光記録及び／又は再生方法。
【請求項３０】  上記第２の光源からの上記先行光は、上記光記録媒体に情報信号を記録しない波長の光とし、上記一体化光学手段が上記光記録媒体上の外乱発生部を飛び越しているときにも上記光記録媒体上で集光していることを特徴とする請求項２９記載の光記録及び／又は再生方法。
【請求項３１】  上記保護工程の上記第１の判定工程及び上記第２の判定工程が上記先行光の上記戻り光量を上記第１の所定の閾値及び上記第２の所定の閾値と比較するのは、上記第２の光学手段が上記記録／再生光を照射している上記光記録媒体上の箇所に対して前方の未記録部分とし、かつ少なくとも上記第２の光学手段が上記記録／再生光を集光している箇所を中心とした上記第２の光学手段の幅を持つ長さの区間とすることを特徴とする請求項２３記載の光記録及び／又は再生方法。
【請求項３２】  上記情報信号を上記光記録媒体に対して記録／再生する位置と、上記保護工程が上記第１の判定工程及び上記第２の判定工程を用いて上記外乱の有無及び種類を判定する位置は分離されていることを特徴とする請求項２３記載の光記録及び／又は再生方法。
【請求項３３】  上記光記録媒体に対して情報信号を記録／再生する前に、上記保護工程は先行して上記光記録媒体上の外乱の有無及び種類を判定することを特徴とする請求項１９記載の光記録及び／又は再生方法。
【請求項３４】  上記光記録媒体に対して情報信号を記録／再生する前に、上記保護工程により先行して判定された上記外乱の情報を、予め記憶素子に保持し、上記光記録媒体に対して情報信号を記録／再生する時点で、上記記憶素子から上記外乱情報を読み出し、この読み出した外乱情報に基づいて上記保護工程が上記第２の光学手段の端面と上記光記録媒体を保護することを特徴とする請求項３３記載の光記録及び／又は再生方法。
【請求項３５】  上記光記録媒体に対して情報信号を記録／再生する初期状態において、上記第２の光学手段の中心が記録／再生開始半径に達するまでの間は、上記第２の光学手段の端面と上記光記録媒体の距離をニアフィールド領域にて一定に保持しないことを特徴とする請求項１９記載の光記録及び／又は再生方法。
【請求項３６】  上記光記録媒体に対して情報信号を記録／再生する初期状態において、上記記憶素子に上記外乱情報がたまるまでは上記制御工程によるフォーカス制御を行わないことを特徴とする請求項３４記載の光記録及び／又は再生方法。
【請求項３７】  上記光記録媒体に対して情報信号を記録／再生する前に、上記保護工程が先行して上記光記録媒体上の外乱の情報を検出するのは、上記光記録媒体に情報信号を記録開始する初期状態において、上記第２の光学手段の中心が記録／再生開始半径に達するまでの間及びそれ以降、記録を停止するまでであることを特徴とする請求項１９記載の光記録及び／又は再生方法。
【手続補正２】
【補正対象書類名】明細書
【補正対象項目名】００２１
【補正方法】変更
【補正の内容】
【００２１】
ＡＯＭ３により変調されて出力されたレーザー光ＬＢ２は、ミラー１０ａで反射された後、集光レンズ５５を通り、コリメータレンズ１１により平行ビームとされ、偏光ビームスプリッタ（ＰＢＳ）１２を通過し、λ／４板１３に入射する。
【手続補正３】
【補正対象書類名】明細書
【補正対象項目名】００２２
【補正方法】変更
【補正の内容】
【００２２】
λ／４板１３を通過した変調光ＬＢ３は、円偏光となり、ダイクロイックミラー１４に入力される。ダイクロイックミラー１４は、ＬＢ３の波長に対しては、透過させる性質がある。
【手続補正４】
【補正対象書類名】明細書
【補正対象項目名】００２３
【補正方法】変更
【補正の内容】
【００２３】
ダイクロイックミラー１４を透過した変調光ＬＢ４は、ミラー１０ｂで反射された後、光ヘッド１５に入射される。この光ヘッド１５は、レジストが塗布されたガラス原盤１６に上記円偏光とされたレーザー光をスポット状に照射する。この際のガラス原盤１６に対する光ヘッド１５のフォーカスは、フォーカス制御装置３３により制御され、ガラス原盤１６との間隙が一定に保持される。
【手続補正５】
【補正対象書類名】明細書
【補正対象項目名】００２６
【補正方法】変更
【補正の内容】
【００２６】
一方、ダイクロイックミラー１４を透過したレーザー光ＬＢ４に対する光ヘッド１５から戻り光は、ダイクロイックミラー１４を再度透過し、λ／４板１３を通り直線偏光に変換された後、ＰＢＳ１２及びミラー１０ｃでそれぞれ反射されて集光レンズ１７に入力される。集光レンズ１７を通った戻り光ＬＢ５は、フォトディテクタ（ＰＤ２）１８に入力され、戻り光量２０として検出される。
【手続補正６】
【補正対象書類名】明細書
【補正対象項目名】００３０
【補正方法】変更
【補正の内容】
【００３０】
レーザー素子（レーザー２）２１から出射されたレーザー光は、電気−光変換素子（ＥＯＭ）２２と、偏光板であるアナライザー２３とを通り、ビームスプリッタ（ＢＳ）２４で反射されてレーザー光ＬＢ６となり、ミラー１０ｄで曲げられてから集光レンズ５４に入射する。集光レンズ５４はレーザー光ＬＢ６を集光した後、コリメータレンズ２７に入射する。
【手続補正７】
【補正対象書類名】明細書
【補正対象項目名】００３１
【補正方法】変更
【補正の内容】
【００３１】
コリメータレンズ２７によりレーザー光ＬＢ６は平行光となり、偏光ビームスプリッタ（ＰＢＳ）２８を通り、λ／４板３９に入力される。λ／４板３９を通った後の光は円偏光となり、レーザー光ＬＢ７となって、ミラー１０ｅで反射され、ダイクロイックミラー１４に入射する。
【手続補正８】
【補正対象書類名】明細書
【補正対象項目名】００３２
【補正方法】変更
【補正の内容】
【００３２】
ダイクロイックミラー１４はレーザー光ＬＢ７の波長に対しては反射する性質を備えており、これによりレーザー光ＬＢ７は反射され、かつミラー１０でも反射されてレーザー光ＬＢ１１となり光ヘッド１５を介してガラス原盤１６に照射される。レーザー光ＬＢ１１によるガラス原盤１６上の照射位置は、上記レーザー光ＬＢ４による照射位置と異なる。本照射位置については後述する。
【手続補正９】
【補正対象書類名】明細書
【補正対象項目名】００３４
【補正方法】変更
【補正の内容】
【００３４】
一方、レーザー光ＬＢ１１に対する光ヘッド１５から戻り光は、ミラー１０で直角に反射された後、ダイクロイックミラー１４で反射され、ミラー１０ｅ、λ／４板３９を通り直線偏光に変換された後、ＰＢＳ２８で垂直に反射され、ミラー１０ｆで再度反射された後、集光レンズ２９に入力される。集光レンズ２９を通ったレーザー光ＬＢ９は、フォトディテクタ（ＰＤ３）３０に入力され、先行ビーム戻り光量３１として、光ヘッド保護装置３５に入力される。
【手続補正１０】
【補正対象書類名】明細書
【補正対象項目名】００４０
【補正方法】変更
【補正の内容】
【００４０】
一方、二群レンズに入射する、外乱を検出するためのレーザー光ＬＢ１１は、記録用のレーザー光ＬＢ４と違い、入射方向と出射方向を異ならせる。入射光ＬＢ１１−１は、まず二群レンズ上方に設置された低ＮＡ（例えば、ＮＡ＝０．１）の集光レンズ４０により、集光傾向で非球面レンズ４３に入射し、屈折された後、ＳＩＬ４１に入射される。そしてＳＩＬ４４にてさらに屈折されたあと、ガラス原盤１６に集光される。この集光点は、上記記録用のレーザー光ＬＢ４による集光点とは異なる位置である。ガラス原盤１６に集光された光の一部は、ガラス原盤１６の表面で反射し、ＳＩＬ４４及び非球面レンズ４３を通り、入射光とは別経路で戻ってくる。この戻り光をコリメーションレンズ４１により平行ビームＬＢ１１−２としてから、上述したようにダイクロイックミラー１４、λ／４板３９、ＰＢＳ２８、及び集光レンズ２９を介してフォトディテクタ（ＰＤ３）３０に導き、検出する。
【手続補正１１】
【補正対象書類名】明細書
【補正対象項目名】００５１
【補正方法】変更
【補正の内容】
【００５１】
この方法の場合、先行ビームスポット列５２は、図６に示すようにして形成できる。すなわち、レーザー素子（レーザー２）２１からの出射光ＬＢ６が通過する集光レンズ５４とコリメータレンズ２７との間の焦点位置にグレーティング５１を配置し、ＬＢ６を複数個のビーム列に分割する。そして、コリメータレンズ２７を通った複数本のビーム列は、ＰＢＳ２８、λ／４板３９を通過し円偏光になった後、ダイクロイックミラー１４を通り、光ヘッド１５に入射され、ガラス原盤１６上に図５に示した先行ビームスポット列５２となって形成される。
【手続補正１２】
【補正対象書類名】明細書
【補正対象項目名】００９０
【補正方法】変更
【補正の内容】
【００９０】
次に、上記主要部とその周辺部との関係を明らかにしながら図１７の光再生装置の全体的な構成を説明する。レーザー素子４（レーザー1）から出射された再生用レーザー光ＬＢ１は、電気-光変換素子（ＥＯＭ）５、偏光板であるアナライザー６及びビームスプリッタ（ＢＳ）７を介してミラー１０で反射されてから、集光レンズ５５を通った後、コリメータレンズ１１により平行ビームとされ、偏光ビームスプリッタ（ＰＢＳ）１２を通過し、λ／４板１３に入射される。
【手続補正１３】
【補正対象書類名】明細書
【補正対象項目名】００９１
【補正方法】変更
【補正の内容】
【００９１】
λ／４板１３を通過した変調光ＬＢ３は、円偏光となり、ダイクロイックミラー１４に入力される。ダイクロイックミラー１４は、ＬＢ３の波長に対しては、透過させる性質がある。
【手続補正１４】
【補正対象書類名】明細書
【補正対象項目名】００９２
【補正方法】変更
【補正の内容】
【００９２】
ダイクロイックミラー１４を透過したレーザー光ＬＢ４は、ミラー１０で反射された後、光ヘッド１５に入射される。この光ヘッド１５は、光ディスク７０に上記円偏光とされたレーザー光をスポット状に照射する。この際の光ディスク７０に対する光ヘッド１５のフォーカスは、フォーカス制御装置３３により制御され、ガラス原盤１６との間隙が一定に保持される。
【手続補正１５】
【補正対象書類名】明細書
【補正対象項目名】００９５
【補正方法】変更
【補正の内容】
【００９５】
一方、ダイクロイックミラー１４を透過したレーザー光ＬＢ４に対する光ヘッド１５から戻り光は、ダイクロイックミラー１４を再度透過し、λ／４板１３を通り直線偏光に変換された後、ＰＢＳ１２で反射され、さらに一部がビームスプリッタ（ＢＳ）７１、ミラー１０ｇで反射されてから集光レンズ７２で集光され、フォトディテクタ（ＰＤ５）７３に入力される。フォトディテクタ（ＰＤ５）７３で検出された検出信号は、再生部７４に供給されて再生信号処理が施され、出力端子７５から再生信号が得られる。
【手続補正１６】
【補正対象書類名】明細書
【補正対象項目名】００９７
【補正方法】変更
【補正の内容】
【００９７】
レーザー素子（レーザー２）２１から出射された外乱検出用のレーザー光は、上記光記録装置の系と同様の経路を通り、ビームスプリッタ（ＢＳ）２４で反射されてレーザー光ＬＢ６となり、ミラー１０ｄで曲げられてから集光レンズ５４に入射する。集光レンズ５４はレーザー光ＬＢ６を集光した後、コリメータレンズ２７に入射する。
【手続補正１７】
【補正対象書類名】明細書
【補正対象項目名】００９８
【補正方法】変更
【補正の内容】
【００９８】
コリメータレンズ２７により平行光とされたレーザー光ＬＢ６がレーザー光ＬＢ１１となり光ディスク７０上に光ヘッド１５を介して照射される経路については上記光記録装置の動作と略同様であるのでここでは説明を省略する。もちろん、レーザー光ＬＢ１１による光ディスク７０上の照射位置は、上記レーザー光ＬＢ４による照射位置と異なる。